(57)【要約】【課題】発光手段を付加し、撮影方向が変わっても、発光輝度を調整可能なカメラ付き携帯端末を提供する。【解決手段】通話手段１０１と、撮像手段１０９と、撮影された画像情報を表示する表示手段１０３、１０４と、発光手段１１２、１１３と、操作本体部２０１とを備えた携帯端末において、撮像手段１０９が操作本体部２０１に対して撮影方向を変えられる構造を有し、撮像手段１０９の操作本体部２０１に対する撮影方向に応じて、発光手段１１２、１１３からの発光輝度が変化する。撮像手段１０９の操作本体部２０１に対する撮影方向を検知する手段１１４を備える。【選択図】        図１
2004343342.tif 000002
【特許請求の範囲】
【請求項１】
通話可能な通話手段と、画像を撮影するための撮像手段と、該撮像手段により撮影された画像情報を表示する表示手段と、発光手段と、操作本体部とを備えた携帯端末において、
前記撮像手段が操作本体部に対して撮影方向を変えられる構造を有し、該撮像手段の操作本体部に対する撮影方向に応じて、前記発光手段からの発光輝度が変化することを特徴とする携帯端末。
【請求項２】
請求項１に記載の携帯端末において、
上記撮像手段の操作本体部に対する撮影方向を検知する手段を備えることを特徴とする携帯端末。
【請求項３】
請求項１又は２に記載の携帯端末において、
端末周囲の光量を検出する検出手段を備え、該検出手段の検出結果に基づき、前記発光手段からの発光輝度が変化することを特徴とする携帯端末。
【請求項４】
請求項１〜３のいずれか１項に記載の携帯端末において、
上記発光手段からの発光輝度が変化する際に、上記表示部のバックライトを併用することを特徴とする携帯端末。
【請求項５】
請求項１〜４のいずれか１項に記載の携帯端末において、
上記撮影が静止画撮影の場合には、上記発光部が単発発光（フラッシュ）し、上記撮影が動画撮影の場合には、上記発光部が間欠発光もしくは連続発光することを特徴とする携帯端末。
【発明の詳細な説明】
【０００１】
【発明の属する技術分野】
本発明は、携帯端末であり、特に発光手段を内蔵させたカメラ付き携帯端末に関する。ここで、携帯端末とは、例えば、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）やＰＣＳ（Ｐｅｒｓｏｎａｌ  Ｃｏｍｍｕｎｉｃａｔｉｏｎｓ  Ｓｅｒｖｉｃｅｓ）、ＰＣ（Ｐｅｒｓｏｎａｌ  Ｃｏｍｐｕｔｅｒ）等である。
【０００２】
【従来の技術】
従来の発光手段を内蔵させたカメラ付き携帯電話機は、撮影レンズを介して被写体を撮像する撮像手段とレリーズ手段とを備えたカメラ付き携帯電話機において、カメラ付き携帯電話機の本体に発光手段（ストロボ装置）を設け、前記レリーズ手段のレリーズ操作で前記ストロボ装置を発光させることを特徴としている（例えば、特許文献１参照）。
【０００３】
また、従来の撮影方向を変えられるカメラ付き携帯電話機は、第１の筐体にカメラ部が搭載され、その第１の筐体は、第２の筐体の水平軸を中心にして、回転可能に第２の筐体に軸支持されており、第１の筐体の側面に固定されたレンズが、第１の筐体が回転することにより、第２の筐体との位置関係が変化するので、この側面の位置を検出し、検出結果に応じてカメラ部を用いた撮影の制御を行なう。（例えば、特許文献２参照）。
【０００４】
【特許文献１】
特開２００１−３２０６２２号公報  （第２頁、第１図）
【特許文献２】
特開２００２−７３２０７号公報  （第５頁、第３図）
【０００５】
【発明が解決しようとする課題】
しかしながら、上記特許文献１の公知例では、発光手段は内蔵されているが、撮影方向が変わらないので、操作者側の撮影を簡便に行なうことが出来なかった。また、上記特許文献２の公知例では、撮影方向は変えられるが、発光手段が無く、暗い場所での撮影に配慮がされていなかった。
【０００６】
そこで、本発明の課題は、従来の問題を解決するものであり、発光手段を付加し、撮影方向が変わっても、発光輝度を調整可能なカメラ付き携帯端末を提供することにある。
【０００７】
【課題を解決するための手段】
上記目的を達するため、本発明は、撮影方向に発光方向を概略あわせた発光手段を設け、撮影方向により、発光手段からの発光輝度を変えることとした。
【０００８】
本発明は、通話可能な通話手段と、画像を撮影するための撮像手段と、該撮像手段により撮影された画像情報等を表示する表示手段と、発光手段と、操作本体部とを備えた携帯端末において、前記撮像手段が操作本体部に対して撮影方向を変えられる構造を有し、該撮像手段の操作本体部に対する撮影方向に応じて、前記発光手段からの発光輝度が変化する携帯端末である。
【０００９】
また、本発明は、上記撮像手段の操作本体部に対する撮影方向を検知する手段を備える携帯端末である。
【００１０】
そして、本発明は、端末周囲の光量を検出する検出手段を備え、該検出手段の検出結果に基づき、前記発光手段からの発光輝度が変化する携帯端末である。
【００１１】
更に、本発明は、上記発光手段からの発光輝度が変化する際に、上記表示部のバックライトを併用する携帯端末である。
【００１２】
また、本発明は、上記撮影が静止画撮影の場合には、上記発光部が単発発光（フラッシュ）し、上記撮影が動画撮影の場合には、上記発光部が間欠発光もしくは連続発光する携帯端末である。
【００１３】
【発明の実施の形態】
本発明の実施の形態を説明する。
本発明の携帯端末の実施例について、以下、図面を用いて説明する。なお、実施例では、折り畳み可能なカメラ付き携帯電話機において、開いた状態におけるカメラ操作について説明するが、ストレートタイプのカメラ付き携帯電話機等の携帯端末であっても本発明の適用は可能である。以下、図面において、同一の機能部については同符号を用いる。
【００１４】
第１の実施例を説明する。本実施例の携帯端末は、通話可能な通話手段と、画像を撮影するための撮像手段と、該撮像手段により撮影された画像情報等を表示する表示手段と、発光手段と、操作本体部とを備え、撮像手段が操作本体部に対して撮影方向を変えられる構造を有し、撮像手段の操作本体部に対する撮影方向に応じて、発光手段からの発光輝度が変化する。
【００１５】
図１は、第１の実施例のカメラ付き携帯電話機の外観図を示し、図２は本実施例の構成ブロック図を示す。また、図１（１）に正面から見た筐体図、図１（２）に背面から見た筐体図、図１（３）に折り畳まれた状態の側面から見た筐体図、図１（４）に折り畳まれた状態の筐体図をそれぞれ示す。なお、本実施例においては、カメラ付き携帯電話機を正面からみて方向（左右上下）を定義する。
【００１６】
本実施例のカメラ付き携帯電話機は、開閉可能な２つの筐体２００と筐体２０１、及び撮像カメラを有する撮像部１０９を有している。この筐体２００と筐体２０１はＸ−Ｘ軸を回動軸として折り畳み可能な構造であって、ヒンジ部３００において接続されている。筐体２０１は、操作者が操作するときに保持する操作本体部であり、主なる入力操作を行なうメイン操作キー１０６と、マイク１１１を備え、撮像カメラの撮影モードを選択し起動するための撮影モード選択起動スイッチ１０５を配している。ここで、メイン操作キー１０６は、電話番号その他の情報を入力する入力部であり、一般的な電話機として使う時には、相手の電話番号を入力するのに用い、メール等を送る場合には文字情報等を入力する。一般的な電話機における電波の送受信は、ＣＰＵ１１０の制御により通信部１０１が行なう。
【００１７】
また、メイン操作キー部１０６はＣＰＵ１１０により制御されるので、同じキーが押下されてもＣＰＵ１１０からの制御により、キー操作の組み合わせで異なるデータあるいは異なる入力信号として扱うことができる。また、撮影モード選択起動スイッチ１０５は、動画像を撮影するための動画撮像モード、静止画像を撮影するための静止画撮像モードを選択し起動するためのキーである。
【００１８】
筐体２００は、通話スピーカ１１２と、主な表示を行なうメイン表示部１０３を備え、メイン表示部１０３の背面に簡易な表示を行なうサブ表示部１０４と楽曲スピーカ１１３を備えている。ここで、メイン表示部１０３には、電源状態、電波強度、電池残量、サーバ接続状態、未読メール等の動作状態を表示させるほか、入力した電話番号、メール宛先、メール送信文書等や、動画および静止画、着信時の発呼者の電話番号、着信メール文書、接続されたインターネット画面等の受信データの表示を行なう。また、サブ表示部１０４には、カメラ付き携帯電話機の動作状態、例えば、電源状態、電波強度、電池残量、サーバ接続状態、未読メールを示すアイコン等を表示させる。また、メイン表示部１０３及びサブ表示部１０４は、カメラ動作時においてはファインダーとして撮像部１０９の撮像カメラにより撮影された画像情報を表示（モニタ）させることができる。また、筐体２０１においてサブ表示部１０４を有する面には、撮像部１０９の撮像カメラにより撮影する際に用いられるサブ操作キー１０７（図１（２）においては１０７ａ、１０７ｂ）を備えている。また、筐体２００と筐体２０１とを接続するヒンジ部３００の間のほぼ中央には、筐体２００と２０１とは別に、回動可能な撮像部１０９を配設しており、この撮像部１０９の撮像カメラにより動画又は静止画の撮影を行なう。
【００１９】
回転可能な撮像部１０９における回転方向は、操作本体部である筐体２０１に対する撮影方向で判断され、操作者側の方向又は操作者側とは逆の方向を、撮影方向検出部１１４により検出（例えば、センサ又はスイッチ（図示せず）の作動等）し、検出結果をＣＰＵ１１０に伝達する。
【００２０】
なお，図示しないが、伸縮可能なアンテナも設けており、このアンテナによりサーバとの通信機能や、ＧＰＳ（全地球測位システム）機能を用いることが可能となっている。また、このアンテナは内蔵アンテナにしてもよい。
【００２１】
図３は、第１の実施例における撮像部１０９を説明するための模式図であり、回転可能な撮像部１０９は、撮像カメラ部１２１と発光部１２２から構成されている。図４は、図３の撮像部１０９の内部ブロック図であり、撮像カメラ部１２１と発光部１２２がＣＰＵ１１０に接続される。
【００２２】
撮影時は、ＣＰＵ１１０の制御により、撮影方向検出部１１４が検出（例えば、センサやスイッチ（図示せず）等で検出）した検出結果が、操作者側の方向であれば、発光部１２２の発光輝度を（撮影方向が操作者側と逆の方向である場合に比べて）下げる制御を行い、操作者側と逆の方向であれば、発光部１２２の発光輝度を（撮影方向が操作者側の方向である場合に比べて）上げる制御を行なっている。
【００２３】
これは、一般的に、発光部と被写体までの距離が、撮影方向が操作者側の方向である場合は「近距離」で、撮影方向が操作者側と逆の方向の場合は「中距離もしくは遠距離」であることから、この制御を行なっている。
【００２４】
第２の実施例を説明する。本実施例の携帯端末は、第１の実施例（図１参照）と同様であり、相違する点を主に説明する。図５は、第２の実施例における撮像部１０９を説明するための模式図であり、回転可能な撮像部１０９は、撮像カメラ部１２１と発光部１２２と光センサー部１２３とから構成されている。図６は、図５の撮像部１０９の内部ブロック図であり、撮像カメラ部１２１と、発光部１２２と、光センサー部１２３が、ＣＰＵ１１０に接続される。
【００２５】
撮影時は、ＣＰＵ１１０の制御により、撮影方向検出部１１４の検出結果が、操作者側の方向であれば、発光部１２２の発光輝度を（撮影方向が操作者側と逆の方向である場合に比べて）下げる制御を行い、操作者側と逆の方向であれば、発光部１２２の発光輝度を（撮影方向が操作者側の方向である場合に比べて）上げる制御を行なっている。
【００２６】
本実施例の場合は、光センサー部１２３が検出した光量に応じ、検出した光量が多ければ、発光部１２２の発光輝度を下げ、検出した光量が少なければ、発光部１２２の発光輝度を上げる制御を行なっている。
【００２７】
本実施例では、光センサー部１２３からの光量検出結果が、撮影に充分な光量であると判断される場合、ＣＰＵ１１０は、発光部１２２の発光動作が行なわれない様に制御し、電力消費の低減化を図っている。
【００２８】
第３の実施例を説明する。本実施例の携帯端末は、第１の実施例（図１参照）及び第２の実施例と同様であり、相違する点を主に説明する。図７は、第３の実施例における撮像部１０９を説明するための模式図であり、回転可能な撮像部１０９は、撮像カメラ部１２１と光センサー部１２３と第１の発光部１２４と第２の発光部１２５から構成されている。図８は、図７の撮像部１０９の内部ブロック図であり、撮像カメラ部１２１と、光センサー部１２３と、第１の発光部１２４と、第２の発光部１２５が、ＣＰＵ１１０に接続される。第１の発光部１２４と第２の発光部１２５は、撮像カメラ部１２１を中心とする対称な位置に配置し、撮像カメラ部に対して第１発光部１２４と第２の発光部１２５が概略均等に影響するようにしている。
【００２９】
撮影時は、ＣＰＵ１１０の制御により、撮影方向検出部１１４の検出結果が、操作者側の方向であれば、第１の発光部１２４及び第２の発光部１２５の発光輝度を（撮影方向が操作者側と逆の方向である場合に比べて）下げる制御を行い、操作者側と逆の方向であれば、第１の発光部１２４及び第２の発光部１２５の発光輝度を（撮影方向が操作者側の方向である場合に比べて）上げる制御を行なっている。
【００３０】
本実施例の場合は、光センサー部１２３が検出した光量に応じ、検出した光量が多ければ、第１の発光部１２４及び第２の発光部１２５の発光輝度を下げ、検出した光量が少なければ、第１の発光部１２４及び第２の発光部１２５の発光輝度を上げる制御を行なっている。
【００３１】
発光部の発光輝度を変化させるため、第１の発光部１２４もしくは第２の発光部１２５のみを発光動作させることにより、発光輝度を（第１の発光部１２４と第２の発光部１２５の両方が発光動作する場合に比べて）半減させることもできる。
【００３２】
本実施例では、光センサー部１２３からの光量検出結果が、撮影に充分な光量であると判断される場合、ＣＰＵ１１０は、第１の発光部１２４及び第２の発光部１２５の発光動作が行なわれない様に制御し、電力消費の低減化を図っている。
【００３３】
第１〜第３の実施例の携帯端末の表示部１０３、１０４は、（Ｌｉｑｕｉｄ・Ｃｒｙｓｔａｌ・Ｄｉｓｐｌａｙ）で構成されているので、視認性を高める為、バックライトが用いられている。そこで、カメラ付き携帯電話機において、発光部からの発光光量を補助するもしくは発光部そのものの代わりに、表示部１０３、１０４のバックライトを利用することも可能となる。
【００３４】
図９に、カメラの撮影方向と、携帯電話機の開閉状態の組み合わせを示す。携帯電話機の開閉状態は、折り畳み検出部１０８からの検出信号に基づきＣＰＵ１１０が判断する。カメラの撮影方向は、撮影方向検出部１１４からの検出信号に基づきＣＰＵ１１０が判断する。
【００３５】
カメラ付き携帯電話機が開いた状態では、カメラの撮影方向が操作者側の方向の場合、メイン表示部１０３がカメラの撮影方向に向いているので、メイン表示部１０３のバックライトが利用でき、カメラの撮影方向が操作者側と逆の方向の場合、サブ表示部１０４がカメラの撮影方向に向いているので、サブ表示部１０４のバックライトが利用できることを示している。
【００３６】
また、カメラ付き携帯電話機が閉じた状態（メイン表示部１０３が内側に折り畳まれた状態）では、カメラの撮影方向が操作者側の方向の場合、サブ表示部１０４がカメラの撮影方向に向いているので、サブ表示部１０４のバックライトが利用できるが、カメラの撮影方向が操作者側と逆の方向の場合は、メイン表示部１０３のバックライト及びサブ表示部１０４のバックライトの、何れのバックライトも利用できないことを示している。
【００３７】
次に、カメラ撮影モード選択及びカメラ撮影の起動方法及び処理について説明する。図１の実施例におけるカメラ撮影モード選択及び起動スイッチ１０５は、筐体の側面に配置されており、その構造は、図１０の模式図で示される構造となっている。
【００３８】
図１０は、図１（１）のように正面からみたときのカメラ撮影モード選択及び起動スイッチ１０５である。図１０の模式図を説明すると、スイッチ本体４００にスライド釦４０１が装着され、端子４０２、端子４０３、端子４０４が検出信号端子である。この検出信号端子を用いて、ＣＰＵ１１０が、カメラ撮影モード選択及び起動スイッチの状態を判別する。
【００３９】
スイッチに手を触れない状態は、図示しないバネにより、スライド釦（導電性）は、図１０（２）の状態に維持されている。この場合、端子４０２と端子４０３間及び端子４０２と端子４０４間は非導通状態である。スライド釦を上に移動した場合（図１０（１）の状態）は、端子４０２と端子４０３間は導通状態で、端子４０２と端子４０４間は非導通状態である。スライド釦を下に移動した場合（図１０（３）の状態）は、端子４０２と端子４０３間は非導通状態で、端子４０２と端子４０４間は導通状態である。ＣＰＵ１１０は、これら端子間の導通状態及び非導通状態を検出して、スイッチの状態を判別する。
【００４０】
次に、カメラ付き携帯電話機が開いた状態での撮影モード選択と起動方法および撮影の手順について説明する。図１０（２）の状態において、図１０（２）の状態から図１０（１）の状態が所定の時間継続したら、動画撮影モードと判断する。また、図１０（２）の状態において、図１０（２）の状態から図１０（３）の状態が所定の時間継続したら、静止画撮影モードと判断する。図１０（１）および図１０（３）の状態で、スライド釦から手を離すと、図示しないバネにより、図１０（２）の状態に自動復帰する。ここで、所定の時間経過を待つのは、カバンの中などでの衝撃による誤操作や、取り出す時の誤操作に配慮したものである。
【００４１】
まず、カメラ付き携帯電話機が開いた状態において説明する。カメラ付き携帯電話機が開いた状態であることは、折り畳み検出部１０８により検出した信号を、ＣＰＵ１１０にて判別する。
【００４２】
図１１は、撮影モードの起動処理を示したフローチャートであり、ステップ４１０の撮影モード起動開始から、撮影モード起動に至る手順を示している。ステップ４１１で撮影モードが選択されると、ステップ４１２でその撮影モードが、静止画撮影モードであるか動画撮影モードであるかを判別し、静止画撮影モードであれば、静止画撮影モードを起動（ステップ４１３）し、静止画撮影モードに移行（ステップ４１４）する。ステップ４１２で動画撮影モードであれば、動画撮影モードを起動（ステップ４１５）し、動画撮影モードに移行（ステップ４１６）する。
【００４３】
図１２は、静止画撮影（フォトモニター）モードのフローチャートである。静止画撮影モードに移行（ステップ４２０）すると、メイン表示部１０３に「フォトを起動します」というメッセージを表示（ステップ４２１）し、撮像部１０９の撮像カメラからの撮影画像をメイン表示部１０３に表示（フォトモニターモード）する（ステップ４２２）。メイン操作キー１０６の上方向釦を押すと、メイン表示部１０３に撮像部１０９の撮像カメラからの撮影画像を拡大して表示し、メイン操作キー１０６の下方向釦を押すと撮像部１０９の撮像カメラからの撮影画像を縮小して表示する。メイン操作キー１０６の右方向釦を押すと、露光を上げ、メイン操作キー１０６の左方向釦を押すと、露光を下げる。
【００４４】
撮影するには、撮影釦（ここでは、メイン操作キー１０６のセンター釦を撮影釦としている。）を押す。撮影釦が押されると、撮影釦が押されたことをＣＰＵ１１０が検出し、シャッター音を発生させる（ステップ４２３）。
【００４５】
その際、第１の実施例及び第２の実施例では、発光部１２２（第３の実施例では、第１の発光部１２４と第２の発光部１２５の両方もしくは片方）を単発発光（フラッシュ）させ、撮影したフォトを確認させるためのフォトプレビューモードに移行する（ステップ４２４）。
【００４６】
この撮影したフォトを保存するには、保存釦（ここでは、メイン操作キー１０６のセンター釦を保存釦としている。）を押す。保存釦が押されると、保存釦が押されたことをＣＰＵ１１０が検出し、メイン表示部１０３に「保存中」というメッセージを表示（ステップ４２５）し、メモリ１０２に保存する。保存が完了したら、メイン表示部１０３に「保存しました」というメッセージを表示（ステップ４２６）する。確認釦（ここでは、メイン操作キー１０６のセンター釦を確認釦としている。）が押されるか、ステップ４２６の状態で３秒以上経過すると、再度フォトモニターモードに移行する（ステップ４２２）。
【００４７】
図１３は、動画撮影（ムービモニター）モードのフローチャートである。動画撮影モードに移行（ステップ４３０）すると、メイン表示部１０３に「ムービを起動します」というメッセージを表示（ステップ４３１）し、撮像部１０９の撮像カメラからの撮影画像をメイン表示部１０３に表示（ムービモニターモード）する（ステップ４３２）。メイン操作キー１０６の上方向釦を押すと、メイン表示部１０３に撮像部１０９の撮像カメラからの撮影画像を拡大して表示し、メイン操作キー１０６の下方向釦を押すと撮像部１０９の撮像カメラからの撮影画像を縮小して表示する。メイン操作キー１０６の右方向釦を押すと、露光を上げ、メイン操作キー１０６の左方向釦を押すと、露光を下げる。
【００４８】
撮影するには、録画釦（ここでは、メイン操作キー１０６のセンター釦を録画釦としている。）を押す。録画釦が押されると、録画釦が押されたことをＣＰＵ１１０が検出し、録画開始音を発生させる（ステップ４３３）。その際、第１の実施例及び第２の実施例では、発光部１２２（第３の実施例では、第１の発光部１２４と第２の発光部１２５の両方もしくは片方）を間欠発光もしくは連続発光させる。
【００４９】
録画中は、メイン表示部１０３に「●ＲＥＣ」というメッセージを点滅表示（ステップ４３４）する。予め設定された録画時間が経過するか停止釦（ここでは、メイン操作キー１０６のセンター釦を停止釦としている。）が押されると、録画を終了する。録画が終了したら、録画終了音を発生させる（ステップ４３５）。
【００５０】
その際、第１の実施例及び第２の実施例では、発光部１２２（第３の実施例では、第１の発光部１２４と第２の発光部１２５の両方もしくは片方の発光していた発光部）の発光動作を停止し、撮影したムービを確認させるためムービプレビューモードに移行する（ステップ４３６）。
【００５１】
この撮影したムービを保存するには、保存釦（ここでは、メイン操作キー１０６のセンター釦を保存釦としている。）を押す。保存釦が押されると、保存釦が押されたことをＣＰＵ１１０が検出し、メイン表示部１０３に「保存中」というメッセージを点滅表示（ステップ４３７）し、メモリ１０２に保存する。保存が完了したら、メイン表示部１０３に「保存しました」というメッセージを表示（ステップ４３８）する。確認釦（ここでは、メイン操作キー１０６のセンター釦を確認釦としている。）が押されるか、ステップ４３８の状態で３秒以上経過すると、再度ムービモニターモードに移行する（ステップ４３２）。このように、通常の操作では、メイン操作キー１０６のセンター釦を順次押すだけで、目的の撮影ができる。
【００５２】
次に、カメラ付き携帯電話機が閉じた状態の説明をする。カメラ付き携帯電話機が閉じた状態であることは、折り畳み検出部１０８により検出した信号を、ＣＰＵ１１０にて判別する。閉じた状態であっても、基本的な処理フローは、開いた状態と同じである。ここでは、開いた状態と異なる閉じた状態での処理について説明する。
【００５３】
閉じた状態では、メイン表示部１０３の代わりにサブ表示部１０４、メイン操作キー１０６の代わりに、サブ操作キー１０７を使用する。したがって、図１１、図１２、図１３のフローチャートは同じである。静止画撮影モードにおける開いた状態と閉じた状態の差異を説明する。
【００５４】
閉じた状態では、メイン操作キー１０６が使用できないので、フォトモニターモードにおけるメイン操作キー１０６の上方向釦、メイン操作キー１０６の下方向釦、メイン操作キー１０６の右方向釦、メイン操作キー１０６の左方向釦を押した場合の機能は実現できない。閉じた状態では、拡大縮小画面の機能に限定してサブ操作キー１０７を使用する。サブ操作キー１０７ａを押すとサブ表示部１０４に撮像部１０９の撮像カメラからの撮影画像を拡大して表示する。サブ操作キー１０７ａを押すたびに順次拡大表示し、最大拡大表示状態の次にサブ操作キー１０７ａが押されたら、最小縮小表示状態に移行する。
【００５５】
フォトモニターモードでは、サブ操作キー１０７ｂを、撮影釦として使用する。フォトプレビューモードでは、サブ操作キー１０７ｂを、保存釦として使用する。保存終了後の確認画面では、サブ操作キー１０７ｂを、確認釦として使用する。
【００５６】
動画撮影モードにおける開いた状態と閉じた状態の差異を説明する。閉じた状態では、メイン操作キー１０６が使用できないので、動画撮像モードにおけるメイン操作キー１０６の上方向釦、メイン操作キー１０６の下方向釦、メイン操作キー１０６の右方向釦、メイン操作キー１０６の左方向釦を押した場合の機能は実現できない。閉じた状態では、拡大縮小画面の機能に限定してサブ操作キー１０７を使用する。サブ操作キー１０７ａを押すとサブ表示部１０４に撮像部１０９の撮像カメラからの撮影画像を拡大して表示する。サブ操作キー１０７ａを押すたびに順次拡大表示し、最大拡大表示状態の次にサブ操作キー１０７ａが押されたら、最小縮小表示状態に移行する。
【００５７】
動画撮像モードでは、サブ操作キー１０７ｂを、録画釦として使用する。動画撮像モードでは、サブ操作キー１０７ｂを、保存釦として使用する。保存終了後の確認画面では、サブ操作キー１０７ｂを、確認釦として使用する。このように、通常の操作では、サブ操作キー１０７ｂを順次押すだけで、目的の撮影ができる。
【００５８】
静止画撮影モードを終了するには、再度静止画撮影モードを選択するか、キー操作が３分間なかった場合に終了する。動画撮影モードを終了するには、再度動画撮影モードを選択するか、キー操作が３分間なかった場合に終了する。
【００５９】
上記実施例では、発光部を、回転する撮像部に配置したが、筐体２００のメイン表示部１０３側、サブ表示部１０４側、及び筐体２０１のメイン操作キー１０６側、メイン操作キー１０６側の反対側に、本発明の目的を達成する為に必要な数の発光部を配置し、撮影方向に合致している発光部を発光させてもよい。
【００６０】
上記実施例では、発光部の発光輝度は、撮影方向により操作者に意識させずに変化させたが、操作者の指示でも発光輝度が任意に変化させることができることは、言うまでも無い。
【００６１】
尚、撮影を行なわない時は、発光部及び表示部のバックライトを、単に照明用として利用することもできる。
【００６２】
以上実施例で説明したように、本発明により、撮影方向に基づき、発光手段からの発光輝度を変化させたので、撮影方向が変わっても、最適な発光輝度を実現するカメラ付き携帯電話機を得ることができる。
【００６３】
【発明の効果】
本発明によれば、撮影方向が変えられるカメラ付き携帯端末において、発光手段を付加し、撮影方向が変わっても、発光輝度を調整可能なカメラ付き携帯端末を得ることができる。
【図面の簡単な説明】
【図１】第１の実施例のカメラ付き携帯電話機の外観図。
【図２】第１の実施例のカメラ付き携帯電話機の構成ブロック図。
【図３】第１の実施例の撮像部を説明するための模式図。
【図４】図３の撮像部の内部ブロック図。
【図５】第２の実施例の撮像部を説明するための模式図。
【図６】図５の撮像部の内部ブロック図。
【図７】第３の実施例の撮像部を説明するための模式図。
【図８】図５の撮像部の内部ブロック図。
【図９】第１の実施例における撮影方向と携帯電話機の開閉状態の関係を説明する図表。
【図１０】第１の実施例におけるモード選択起動スイッチの構造を説明する模式図。
【図１１】撮影モードの起動処理を示したフローチャート。
【図１２】静止画撮影モードのフローチャート。
【図１３】動画撮影モードのフローチャート。
【符号の説明】
１０１  通信部
１０２  メモリ
１０３  メイン表示部
１０４  サブ表示部
１０５  撮影モード選択起動スイッチ
１０６  メイン操作キー
１０７ａ、１０７ｂ  サブ操作キー
１０８  折り畳み検出部
１０９  撮像部
１１０  ＣＰＵ
１１１  マイク
１１２  通話用スピーカ
１１３  楽曲用スピーカ
１１４  撮影方向検出部
１２１  撮像カメラ
１２２  発光部
１２３  光センサー部
１２４  第１の発光部
１２５  第２の発光部
２００、２０１  筐体
３００  ヒンジ部
【図１】
2004343342.tif 000003
【図２】
2004343342.tif 000004
【図３】
2004343342.tif 000005
【図４】
2004343342.tif 000006
【図５】
2004343342.tif 000007
【図６】
2004343342.tif 000008
【図７】
2004343342.tif 000009
【図８】
2004343342.tif 000010
【図９】
2004343342.tif 000011
【図１０】
2004343342.tif 000012
【図１１】
2004343342.tif 000013
【図１２】
2004343342.tif 000014
【図１３】
2004343342.tif 000015